(57)【要約】【課題】平面スピーカのエキサイタの支持調整を容易にすると共に、平面スピーカの輸送や搬入等を容易に行うことを可能にする。【解決手段】エキサイタ３０は、振動板１２に固着されると共に、懸吊部材２０により懸吊支持されている。懸吊部材２０は、中間部が支柱２２に巻き架けられ、一端部がエキサイタ３０の重心Ｎを通る鉛直線上の位置Ｍに固定され、他端部がコイルバネ２４に引張された状態で固定位置Ｆにおいて固定される。そして、コイルバネ２４の長さは、エキサイタ３０と同質量の荷重を受ける際の荷重長さに調整される。これにより、エキサイタ３０は、ダンパー３２に懸かる曲げ応力が極小化された状態で懸吊される。このように、調整が難しい複雑な部材や、重量が懸念される錘等を使用しないため、エキサイタ３０の支持調整を容易にすることができ、平面スピーカ１０の輸送や搬入等を容易に行うこともできる。【選択図】図２
2014086896.tif 000002
【特許請求の範囲】
【請求項１】
振動板に剛体運動をさせるために、前記振動板の裏面全体に等分配置され、入力電流が等しく流れるようにシリパラ接続された複数のエキサイタを備える平面スピーカであって、
前記複数のエキサイタの各々は、前記振動板の裏面側に固着され、懸吊部材により懸吊支持されており、
１枚の前記振動板の裏面に、前記複数のエキサイタの各々が前記懸吊部材に引張されて支持されると共に、前記懸吊部材の端部は、コイルバネを介して固定用部材に固定されていることを特徴とする平面スピーカ。
【請求項２】
振動板に剛体運動をさせるために、前記振動板の裏面全体に等分配置され、入力電流が等しく流れるようにシリパラ接続された複数のエキサイタを備える平面スピーカであって、
前記複数のエキサイタの各々は、前記振動板の裏面側に固着され、懸吊部材により懸吊支持されており、
前記懸吊部材は、中間部が支柱に巻き架けられ、一端が前記エキサイタの重心を通る鉛直線上の位置に固定され、他端が前記エキサイタの質量と略等しい張力を有するコイルバネに引張されて固定用部材に固定されており、
前記エキサイタが固定された単位となる振動板を、複数個、平面方向に集合したことを特徴とする平面スピーカ。
【請求項３】
前記振動板の裏面の前記複数のエキサイタが配置されている領域を、前記複数のエキサイタの各々を頂点とする複数の四角形の小範囲に等分し、
前記四角形の小範囲の略中心位置に配置され、前記複数のエキサイタと同様に前記懸吊部材により懸吊支持されると共に、前記複数のエキサイタとは別にシリパラ接続された複数のエキサイタを備えることを特徴とする請求項２記載の平面スピーカ。
【請求項４】
振動板に剛体運動をさせるために、前記振動板の裏面全体に等間隔で千鳥格子状に配置され、入力電流が等しく流れるようにシリパラ接続された複数のエキサイタを備える平面スピーカであって、
前記複数のエキサイタの各々は、前記振動板の裏面側に固着され、懸吊部材により懸吊支持されており、
前記懸吊部材は、中間部が支柱に巻き架けられ、一端が前記エキサイタの重心を通る鉛直線上の位置に固定され、他端が前記エキサイタの質量と略等しい張力を有するコイルバネに引張されて固定用部材に固定されており、
前記エキサイタが固定された単位となる振動板を、複数個、平面方向に集合したことを特徴とする平面スピーカ。
【請求項５】
振動板にエキサイタが、支柱を介して懸吊部材により引張されて支持される平面スピーカのエキサイタの支持調整法であって、
中間部が支柱に巻き架けられた前記懸吊部材の一端を、前記振動板に固定された前記エキサイタの重心を通る鉛直線上の位置に固定すると共に、前記懸吊部材の他端を、前記エキサイタの質量と略等しい質量の錘にコイルバネを介して固定し、
前記懸吊部材の張力を調整後、前記錘を取り外し、前記他端を固定用部材に固定することを特徴とする平面スピーカにおけるエキサイタの支持調整法。
【発明の詳細な説明】
【技術分野】
【０００１】
本発明は、懸吊部材により懸吊されるエキサイタを複数備えた平面スピーカ及び前記エキサイタの支持調整法に関するものである。
【背景技術】
【０００２】
従来より、振動板の裏面側にエキサイタを複数備え、懸吊部材によりエキサイタを懸吊する構成の平面スピーカは開発されている。例えば、下記特許文献１には、可撓性を有する振動板の裏面側に複数のアクチュエータユニットを配置し、アクチュエータユニットを構成する枠体の略中央部に、枠体から内側に延びた懸吊部材によってアクチュエータを懸吊する平面スピーカが開示されている。この構成によって特許文献１の平面スピーカではアクチュエータ間の相互干渉の発生を防止することができ、低周波数帯域での音響出力を向上させる。しかしながら、特許文献１の平面スピーカでは、懸吊部材の一端を枠体の上側の側壁に取り付け、他端をアクチェータのヨークに取り付ける構成を採用しているため、振動板に取り付けられたアクチュエータのダンパーに負荷が懸からぬように、ボイスコイルの中心軸と磁気回路の中心軸とを一致させて、アクチュエータを吊り上げることが困難であるという欠点があった。
【０００３】
そこで、本出願人は、エキサイタのダンパーに懸かる荷重を軽減することができると共に、寸法上のバラツキを吸収して、正常動作できる設置角度にエキサイタを保持することができ、音響性能を重視してダンパーの仕様を設計することができる平面スピーカの提供を目的として、図１０に示すような方法でエキサイタを懸吊する平面スピーカに関し、先に出願を行っている（特許文献２参照）。一般的に、図１０に示すような平面スピーカ１００のエキサイタ３０は、磁気回路部３４の質量の占める割合が大きく、ダンパー３２を節とする曲げ応力が発生するため、振動板１２０に取り付けられた状態で、ボイスコイルボビン３６の中心軸と磁気回路部３４の中心軸とに傾き角度差が生じる。このため、平面スピーカ１００では、上述した傾き角度差を調整するために、懸吊部材２００の中間部分を支柱２２に巻き架け、懸吊部材２００の一端をエキサイタ３０の外周部の、エキサイタ３０の重心を通る鉛直線上の位置Ｍに固定し、他端を平衡錘１２６に固定した平衡懸吊式によりエキサイタ３０を支持している。平衡錘１２６の質量はエキサイタ３０の質量と略同じ質量であり、懸吊部材２００が表面を円滑に摺動可能な支点となる支柱２２を介して平衡懸吊状態になっている。
【先行技術文献】
【特許文献】
【０００４】
【特許文献１】特開２００９−１６４７３４号公報
【特許文献２】特開２０１１−６６７７５号公報
【発明の概要】
【発明が解決しようとする課題】
【０００５】
しかしながら、図１０に示した平面スピーカ１００は、エキサイタ３０のダンパー３２に懸かる曲げ応力を極小化することができ、音響性能を向上させることができるものの、エキサイタ３０を懸吊するために、エキサイタ３０毎に平衡錘１２６を使用するため、平面スピーカ１００が複数のエキサイタ３０を備える場合には、それに対応する複数の平衡錘１２６が必要となる。更に、エキサイタ３０の質量が大きくなるほど、それに対応した大きい質量の平衡錘１２６が必要となる。このため、平面スピーカ１００を制作後、現場への輸送、搬入等を行う際の、重量に起因する課題が残ることとなった。
本発明は上記課題に鑑みてなされたものであり、その目的とするところは、平面スピーカのエキサイタの支持調整を容易にすると共に、平面スピーカの輸送や搬入等を容易に行うことにある。
【課題を解決するための手段】
【０００６】
（発明の態様）
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、更に他の構成要素を付加したものについても、本願発明の技術的範囲に含まれ得るものである。
【０００７】
（１）振動板に剛体運動をさせるために、前記振動板の裏面全体に等分配置され、入力電流が等しく流れるようにシリパラ接続された複数のエキサイタを備える平面スピーカであって、前記複数のエキサイタの各々は、前記振動板の裏面側に固着され、懸吊部材により懸吊支持されており、１枚の前記振動板の裏面に、前記複数のエキサイタの各々が前記懸吊部材に引張されて支持されると共に、前記懸吊部材の端部は、コイルバネを介して固定用部材に固定されている平面スピーカ（請求項１）。
【０００８】
本項に記載の平面スピーカは、振動板の裏面全体に等分配置されると共に、電気的にシリパラ接続された複数のエキサイタを備えている。ここで、「等分配置」という表現について説明すると、振動板の裏面を、エキサイタの数量に応じて、複数の行及び列で構成されるマスの如く、各々が等しい面積を有する複数の小範囲に等分し、個々の小範囲の略中心位置に、複数のエキサイタの各々を配置する形態を示している。又、「シリパラ接続」という表現は、直列接続したエキサイタの列を複数構成し、更に、エキサイタの直列接続の全ての列を、並列接続した接続形態を示している。すなわち、本項に記載の平面スピーカは、例えば、エキサイタの数量が１６個の場合には、振動板の裏面が４行４列で構成される１６箇所の小範囲に等分され、各小範囲の略中心位置にエキサイタの各々が配置されると共に、行或いは列方向に配置される４個のエキサイタ毎に直列接続され、直列接続されたエキサイタの４列が並列接続される態様となる。
【０００９】
更に、エキサイタは、ボイスコイルが巻回されたボビンと、永久磁石が格納されたヨークとを備えた、ボイスコイル式のアクチュエータであり、ボイスコイルが前後方向に振動することで、振動板に振動を伝達するものである。従って、本項に記載の平面スピーカが備える複数のエキサイタは、振動板の裏面全体に等分配置される複数のアクチュエータで構成され、各アクチュエータのボイスコイルがシリパラ接続されることで１つにまとめられた、平面振動板用のシリパラエキサイタと表現することもできる。又、本発明における「エキサイタ」とは、エキサイタの質量を増加させるために、エキサイタの磁気回路部側等に錘を付加したエキサイタ組立体を含むものとする。これは、本願発明に含まれる、以降に記述する発明についても同様である。なお、本明細書内において、以降に使用する「等分配置」及び「シリパラ接続」という表現についても、上述したような配置形態及び接続形態を指すものとする。
【００１０】
上述したようなエキサイタの配置及び接続により、本項に記載の平面スピーカは、複数のエキサイタに入力電流が等しく流れ、エキサイタの各々が等しい力で振動板を振動させるため、振動板が剛体運動に略等しい動作をする。更に、１個のエキサイタが振動させる振動板の面積は、振動板の裏面をエキサイタの数量分に等分したうちの、１つの小範囲の面積のみである。ここで、振動板の全体を１個のエキサイタで振動させる場合と比較すると、本項に記載の平面スピーカは、エキサイタ１個あたりで振動させる振動板の面積が狭く、全てのエキサイタが等しく振動することから、振動板の全体を１個のエキサイタで振動させる場合よりも、振動板の曲げ剛性が高まるように作用するものとなる。
【００１１】
更に、本項に記載の平面スピーカの、１個のエキサイタに流れる電流量は、振動板を１個のエキサイタで振動させる場合の電流量を、シリパラ接続した複数のエキサイタの、直列接続したエキサイタの数量で除した値となる。例えば、本項に記載の平面スピーカが１６個のエキサイタを有しており、エキサイタ４個の直列接続が４列並列接続されていると仮定すると、直列接続された各列に流れる電流量、すなわち、各エキサイタに流れる電流量は、振動板を１個のエキサイタで振動させる場合の電流量の１／４となる。これにより、エキサイタの振幅も１／４となるため、振動板に対する振動の負担を軽減するものとなる。更に、上述したような、直列接続したエキサイタの数量（４個）と、並列接続したエキサイタ列の列数（４列）とが等しい場合には、複数のエキサイタ全体の合成インピーダンスが、１個のエキサイタのインピーダンスと略等しくなるため、振動板を１個のエキサイタで振動させる場合と、駆動電流量が略等しくなる。又、複数のエキサイタがシリパラ接続されていることで、端子から供給された電流は各エキサイタに分散されて流れることとなるため、エキサイタへの入力電流過多を防止するための、過大電流保護回路が不要となる。
【００１２】
又、本項に記載の平面スピーカは、複数のエキサイタの各々が、振動板の裏面に固着されると共に、懸吊部材により懸吊支持されている。詳しくは、懸吊部材の一端部がエキサイタに固定され、懸吊部材の他端部がコイルバネを介して固定用部材に固定されることで、エキサイタが懸吊部材により引張されて支持されている。ここで、懸吊部材によりエキサイタを懸吊支持する際の、伸長させるコイルバネの長さや、コイルバネを含む懸吊部材全体の長さ等は、懸吊支持されるエキサイタにおいて、ボイスコイルボビンの中心軸と、磁気回路部の中心軸とに、傾き角度差が生じないように設定することが望ましい。このように設定することで、エキサイタのダンパーに懸かる曲げ応力を極小化することとなり、エキサイタの性能を最大限発揮させるものとなる。
【００１３】
更に、懸吊部材の端部は、コイルバネを介して固定されていることから、エキサイタの取付け位置のズレや懸吊部材の伸縮に起因する、エキサイタの懸吊応力の変動を、コイルバネに吸収させることで、懸吊状態を安定して維持するものとなる。
又、エキサイタの懸吊支持に、調整が難しい複雑な部材や、重量が懸念される平衡錘等を必要としないため、エキサイタの支持調整を容易にすると共に、平面スピーカの輸送や搬入等を容易に行うものともなる。
【００１４】
（２）振動板に剛体運動をさせるために、前記振動板の裏面全体に等分配置され、入力電流が等しく流れるようにシリパラ接続された複数のエキサイタを備える平面スピーカであって、前記複数のエキサイタの各々は、前記振動板の裏面側に固着され、懸吊部材により懸吊支持されており、前記懸吊部材は、中間部が支柱に巻き架けられ、一端が前記エキサイタの重心を通る鉛直線上の位置に固定され、他端が前記エキサイタの質量と略等しい張力を有するコイルバネに引張されて固定用部材に固定されており、前記エキサイタが固定された単位となる振動板を、複数個、平面方向に集合した平面スピーカ（請求項２）。
【００１５】
本項に記載の平面スピーカは、上記（１）項に記載の平面スピーカと同様に、振動板の裏面全体に等分配置されると共に、電気的にシリパラ接続された複数のエキサイタを備えており、このような複数のエキサイタを備えることで得られる作用については、上記（１）項に記載の平面スピーカと同様となる。
更に、本項に記載の平面スピーカは、複数のエキサイタの各々が、振動板の裏面に固着されると共に、懸吊部材により懸吊支持されている。懸吊部材は、その中間部が支柱に巻き架けられており、懸吊部材の一端部が、エキサイタの重心を通る鉛直線上の位置に固定され、懸吊部材の他端部が、コイルバネに引張された状態で固定用部材に固定される。そして、コイルバネの長さは、自身にエキサイタの質量と略等しい質量の錘等が吊り下げられた場合の、その錘等を引張する際の張力と、略等しい張力でエキサイタを引張するように調整される。これにより、エキサイタと、エキサイタと略同質量の錘等とが、支柱を介して平衡懸吊状態である際の、コイルバネを有する懸吊部材がエキサイタを懸吊する張力と、略等しい張力でエキサイタが懸吊される。このように懸吊支持されることで、複数のエキサイタの各々は、ボイスコイルボビンの中心軸と、磁気回路部の中心軸とに、傾き角度差が生じないように懸吊されるため、エキサイタのダンパーに懸かる曲げ応力を極小化することとなり、エキサイタの性能を最大限発揮させるものとなる。
【００１６】
又、エキサイタを懸吊する懸吊部材は、中間部が支柱に巻き架けられていることから、支柱と懸吊部材間に発生する摺動摩擦により、エキサイタの振動に起因するコイルバネの共振を抑制し、平面スピーカの再生音への悪影響を最小限に留めるものとなる。
更に、懸吊部材の端部は、コイルバネを介して固定されていることから、エキサイタの取付け位置のズレや懸吊部材の伸縮に起因する、エキサイタの懸吊応力の変動を、コイルバネに吸収させることで、懸吊状態を安定して維持するものとなる。
そして、上述したような構成により、エキサイタを懸吊支持するため、調整が難しい複雑な部材を使用することなく、エキサイタの支持調整を容易に行うものとなる。
【００１７】
更に、本項に記載の平面スピーカは、上述したような複数のエキサイタが固着された振動板を、複数個、平面方向に集合したものである。このため、上述の如く作用を有しながらも、集合する振動板の数を調整することで、任意のサイズの大型の平面スピーカが構成されることとなる。そして、大型の平面スピーカを構成する前には、複数個の振動板として、個々の振動板の大きさで扱うことができ、更に、エキサイタの懸吊支持に、重量が懸念される平衡錘等を必要としないため、輸送や搬入等を容易に行うものとなる。
【００１８】
（３）上記（２）項において、前記振動板の裏面の前記複数のエキサイタが配置されている領域を、前記複数のエキサイタの各々を頂点とする複数の四角形の小範囲に等分し、前記四角形の小範囲の略中心位置に配置され、前記複数のエキサイタと同様に前記懸吊部材により懸吊支持されると共に、前記複数のエキサイタとは別にシリパラ接続された複数のエキサイタを備える平面スピーカ（請求項３）。
【００１９】
本項に記載の平面スピーカは、振動板の裏面全体に等分配置され、シリパラ接続された複数のエキサイタに加えて、更に、別の複数のエキサイタを備えるものである。別の複数のエキサイタの各々は、振動板の裏面の複数のエキサイタが配置されている領域を、複数のエキサイタの各々を頂点とする複数の四角形の小範囲に等分した、各四角形の小範囲の略中心位置に配置されている。例えば、等分配置された複数のエキサイタが、４行４列に配置された１６個であると仮定すると、別の複数のエキサイタの各々は、４行４列に等分配置された複数のエキサイタの各々を頂点として、３行３列の９箇所に構成される四角形の小範囲の略中心位置に配置される。又、別の複数のエキサイタの各々は、等分配置された複数のエキサイタと同じ態様で、懸吊部材により懸吊支持されている。更に、別の複数のエキサイタは、等分配置された複数のエキサイタとは別の配線により、シリパラ接続されている。
【００２０】
上述したような構成であるため、本項に記載の平面スピーカは、等分配置された複数のエキサイタをシリパラ接続している配線と、別の複数のエキサイタをシリパラ接続している配線とに、全てのエキサイタが等しい力で振動するような電流を流すことで、振動板が剛体運動に略等しい動作をする。そして、上記（２）項に記載の平面スピーカと比較すると、振動板の裏面に、より稠密にエキサイタが配置されることとなるため、エキサイタ１個あたりで振動させる振動板の面積がより狭くなり、全てのエキサイタが等しく振動することから、上記（２）項に記載の平面スピーカよりも、更に振動板の曲げ剛性が高まるように作用するものとなる。
【００２１】
（４）振動板に剛体運動をさせるために、前記振動板の裏面全体に等間隔で千鳥格子状に配置され、入力電流が等しく流れるようにシリパラ接続された複数のエキサイタを備える平面スピーカであって、前記複数のエキサイタの各々は、前記振動板の裏面側に固着され、懸吊部材により懸吊支持されており、前記懸吊部材は、中間部が支柱に巻き架けられ、一端が前記エキサイタの重心を通る鉛直線上の位置に固定され、他端が前記エキサイタの質量と略等しい張力を有するコイルバネに引張されて固定用部材に固定されており、前記エキサイタが固定された単位となる振動板を、複数個、平面方向に集合した平面スピーカ（請求項４）。
【００２２】
本項に記載の平面スピーカは、振動板の裏面全体に等間隔で千鳥格子状に配置されると共に、電気的にシリパラ接続された複数のエキサイタを備えている。ここで、「等間隔で千鳥格子状に配置」という表現について説明すると、近接配置された３個のエキサイタを頂点として構成される三角形が、全て同じ大きさの正三角形となるように、複数のエキサイタを配置する形態を示しており、このように配置することで、複数のエキサイタの各々は、６方向で隣接するエキサイタとの間隔が、隣接する方向に関わらず全て等しくなる。すなわち、本項に記載の平面スピーカは、例えば、エキサイタの数量が２０個の場合には、一例として、縦方向に等間隔に配置された４個のエキサイタで構成されたエキサイタ列が、縦方向の上下に交互に変位されながら横方向に５列配置されることで、等間隔で千鳥格子状に配置される。そして、横方向にジグザグに配置された５個のエキサイタ毎に直列接続され、直列接続されたエキサイタの４列が並列接続される態様となる。
【００２３】
更に、上述したように、エキサイタは、ボイスコイルが巻回されたボビンと、永久磁石が格納されたヨークとを備えた、ボイスコイル式のアクチュエータであり、ボイスコイルが前後方向に振動することで、振動板に振動を伝達するものである。従って、本項に記載の平面スピーカが備える複数のエキサイタは、振動板の裏面全体に等間隔で千鳥格子状に配置される複数のアクチュエータで構成され、各アクチュエータのボイスコイルがシリパラ接続されることで１つにまとめられた、平面振動板用のシリパラエキサイタと表現することもできる。なお、本明細書内において、以降に使用する「等間隔で千鳥格子状に配置」という表現についても、上述したような配置形態を指すものとする。
【００２４】
上述したようなエキサイタの配置及び接続により、本項に記載の平面スピーカは、複数のエキサイタに入力電流が等しく流れ、エキサイタの各々が等しい力で振動板を振動させるため、振動板が剛体運動に略等しい動作をする。更に、１個のエキサイタが振動させる振動板の面積は、各エキサイタの周辺領域の面積のみである。ここで、振動板の全体を１個のエキサイタで振動させる場合と比較すると、本項に記載の平面スピーカは、エキサイタ１個あたりで振動させる振動板の面積が狭く、全てのエキサイタが等しく振動することから、振動板の全体を１個のエキサイタで振動させる場合よりも、振動板の曲げ剛性が高まるように作用するものとなる。
【００２５】
更に、本項に記載の平面スピーカの、１個のエキサイタに流れる電流量は、振動板を１個のエキサイタで振動させる場合の電流量を、シリパラ接続した複数のエキサイタの、直列接続したエキサイタの数量で除した値となる。これにより、上記（１）項に記載の平面スピーカと同様に、各エキサイタに流れる電流量が、振動板を１個のエキサイタで振動させる場合よりも少なくなり、エキサイタの振幅も小さくなるため、振動板に対する振動の負担を軽減するものとなる。又、複数のエキサイタがシリパラ接続されていることで、端子から供給された電流は各エキサイタに分散されて流れることとなるため、エキサイタへの入力電流過多を防止するための、過大電流保護回路が不要となる。
【００２６】
又、本項に記載の平面スピーカは、上記（２）項に記載の平面スピーカと同じ態様で、複数のエキサイタの各々が懸吊部材により懸吊支持されているものであるため、これによって得られる作用については、上記（２）項に記載の平面スピーカと同様となる。
更に、本項に記載の平面スピーカは、上述したような複数のエキサイタが固着された振動板を、複数個、平面方向に集合したものである。このため、上述の如く作用を有しながらも、集合する振動板の数を調整することで、任意のサイズの大型の平面スピーカが構成されることとなる。そして、大型の平面スピーカを構成する前には、複数個の振動板として、個々の振動板の大きさで扱うことができ、更に、エキサイタの懸吊支持に、重量が懸念される平衡錘等を必要としないため、輸送や搬入等を容易に行うものとなる。
【００２７】
（５）上記（２）から（４）項において、前記振動板の前面に、間隙をおいて第２の振動板を設けた平面スピーカ。
本項に記載の平面スピーカは、複数の振動板を平面方向に集合して構成した、大型の平面スピーカの振動板の前面に、間隙をおいて第２の振動板を設置したものである。振動板と第２の振動板との間隙は、例えば、１ｍｍ〜５０ｍｍ程度に設定され、第２の振動板には、平面方向に集合した複数の振動板の有効面積の、１００％以上の面積を有し、かつ、可撓性を有するフィルム状やシート状のものが用いられる。これにより、複数の振動板を集合して大型化した平面スピーカの、振動板の表面が保護されると共に、視覚的なシームレス化が図られる。又、上述したように構成することで、本項に記載の平面スピーカは、平面方向に集合した複数の振動板を、各々が備える複数のエキサイタにより、振動板間で略等しい力で振動させると、その振動が空気を介して第２の振動板に伝わり、第２の振動板の全体が略均一的に振動することとなる。これにより、聴覚的にも、大型化した平面スピーカのシームレス化が図られる。更に、第２の振動板は、巻き上げ収納が可能なように可撓性を有していることから、平面方向に集合した複数の振動板を覆い隠せるだけの面積を有しながらも、輸送や搬入等が容易に行えるものである。
【００２８】
（６）振動板にエキサイタが、支柱を介して懸吊部材により引張されて支持される平面スピーカのエキサイタの支持調整法であって、中間部が支柱に巻き掛けられた前記懸吊部材の一端を、前記振動板に固定された前記エキサイタの重心を通る鉛直線上の位置に固定すると共に、前記懸吊部材の他端を、前記エキサイタの質量と略等しい質量の錘にコイルバネを介して固定し、前記懸吊部材の張力を調整後、前記錘を取り外し、前記他端を固定用部材に固定する平面スピーカにおけるエキサイタの支持調整法（請求項５）。
【００２９】
本項に記載の平面スピーカにおけるエキサイタの支持調整法は、支柱を介して懸吊部材により引張された状態で、振動板に支持されているエキサイタの支持調整法である。まず、中間部を支柱に巻き架けた状態の懸吊部材の一端を、振動板に固定されたエキサイタの重心を通る鉛直線上の位置に固定し、懸吊部材の他端を、懸吊するエキサイタの質量と略等しい質量の錘に、コイルバネを介して固定する。次に、コイルバネを含む懸吊部材の張力を、エキサイタと錘とが、支柱を介して平衡懸吊状態となるように調整する。これにより、コイルバネは、エキサイタと略同質量の錘の荷重を受けた荷重長さに伸長した状態となる。その後、コイルバネを含む懸吊部材が、エキサイタと錘とが平衡懸吊状態にある際の張力を維持した状態となるように、懸吊部材の他端から錘を取り外し、懸吊部材の他端を固定用部材に固定する。この際、懸吊部材の他端に錘を固定したまま、先に懸吊部材の他端近傍を固定用部材に固定し、後から錘を取り外すこととしてもよい。
【００３０】
上述したような手順により、本項に記載の平面スピーカにおけるエキサイタの支持調整法は、コイルバネを含む懸吊部材の張力の調整に、エキサイタと略同質量の調整用錘を用いることから、懸吊部材の固定位置の位置決めを正確に行うものとなる。更に、調整が難しい複雑な部材を使用しないため、エキサイタの支持調整を容易に行うものとなる。
又、エキサイタを懸吊する懸吊部材は、中間部が支柱に巻き架けられていることから、支柱と懸吊部材間に発生する摺動摩擦により、エキサイタの振動に起因するコイルバネの共振を抑制し、平面スピーカの再生音への悪影響を最小限に留めるものとなる。
更に、懸吊部材の端部は、コイルバネを介して固定されていることから、エキサイタの取付け位置のズレや懸吊部材の伸縮に起因する、エキサイタの懸吊応力の変動を、コイルバネに吸収させることで、懸吊状態を安定して維持するものとなる。
【発明の効果】
【００３１】
本発明はこのように構成したので、平面スピーカのエキサイタの支持調整を容易にすると共に、平面スピーカの輸送や搬入等を容易に行うことが可能となる。
【図面の簡単な説明】
【００３２】
【図１】本発明の第１の実施の形態に係る平面スピーカの、エキサイタの懸吊方法を説明するための概略図である。
【図２】本発明の第１の実施の形態に係る平面スピーカの、エキサイタの別の懸吊方法を説明するための概略図である。
【図３】本発明の第１の実施の形態に係る平面スピーカの、錘を付加したエキサイタの懸吊方法を説明するための概略図であり、（ａ）はエキサイタと略等しい質量の錘を付加した場合、（ｂ）はエキサイタよりも質量が大きい錘を付加した場合を示している。
【図４】本発明の第１の実施の形態に係る平面スピーカに用いる、エキサイタの支持調整法の手順を示す模式図であり、（ａ）は懸吊部材に錘を取り付ける前の状態、（ｂ）は懸吊部材に錘を取り付けた状態、（ｃ）は錘を取り付けたままで懸吊部材を固定する状態、（ｄ）は懸吊部材を固定して錘を取り外した状態を、夫々示している。
【図５】本発明の第１の実施の形態に係る平面スピーカの構成を示す、（ａ）は三面図、（ｂ）は裏面図である。
【図６】本発明の第１の実施の形態に係る平面スピーカを部分的に示す、（ａ）は側面方向からの模式図、（ｂ）は裏面図である。
【図７】本発明の第１の実施の形態に係る平面スピーカを複数用いて構成した、大型の平面スピーカを説明するための図であり、（ａ）は第２の振動板を配置する概念図、（ｂ）は大型の平面スピーカの三面図である。
【図８】本発明の第２の実施の形態に係る平面スピーカを説明するための図であり、（ａ）は振動板の裏面を示す概略図、（ｂ）はエキサイタの懸吊方法を示す概略図である。
【図９】本発明の第３の実施の形態に係る平面スピーカを説明するための図であり、（ａ）は振動板の裏面を示す概略図、（ｂ）はエキサイタの懸吊方法を示す概略図である。
【図１０】従来の平面スピーカのエキサイタ周辺を模式的に示す概略図である。
【発明を実施するための形態】
【００３３】
以下、本発明の実施の形態を図面に基づき説明する。ここで、従来技術と同一部分、若しくは相当する部分については同一符号で示し、詳しい説明を省略する。
図１は、本発明の第１の実施の形態に係る平面スピーカ１０の、エキサイタ３０の周辺を側面方向から模式的に示している。図示のように、エキサイタ３０は、振動板１２に固着されると共に、エキサイタ３０の外周部の、エキサイタ３０の重心Ｎを通る鉛直線上の位置Ｍにおいて、枠体に固定された懸吊部材２０により懸吊されている。懸吊部材２０により懸吊されることで、エキサイタ３０は、ダンパー３２を節とする曲げ応力の発生に起因する、磁気回路部３４とボイスコイルボビン３６との傾き角度が調整されている。又、懸吊部材２０は、一端がエキサイタ３０の重心Ｎを通る鉛直線上の位置Ｍに固定され、他端が固定位置Ｆにおいて固定用部材（図示省略）に固定されている。そして、懸吊部材２０は、コイルバネ２４を有しており、図１のように懸吊部材２０の他端が固定された状態において、コイルバネ２４は、エキサイタ３０の質量と等しい荷重を受ける際に伸長する荷重長さと、略等しい長さに伸長した状態となっている。
【００３４】
なお、図１の例のように、コイルバネ２４を、エキサイタ３０の質量と等しい荷重を受ける際に伸長する荷重長さに調整するには、調整作業を行う前に、コイルバネ２４にエキサイタ３０の質量と略等しい荷重がかかる際の、コイルバネ２４の荷重長さを予め測定しておき、コイルバネ２４が測定した荷重長さに伸長するように、懸吊部材２０の長さや固定位置Ｆの調整を行えばよい。
【００３５】
続いて、図２は、本発明の第１の実施の形態に係る平面スピーカ１０の、図１とは別の方法で懸吊したエキサイタ３０の周辺を側面方向から模式的に示している。図２に示す本発明の第１の実施の形態に係る平面スピーカ１０は、図１に示した平面スピーカ１０との比較において、懸吊部材２０の中間部が、支柱２２及び補助支柱２２ａに巻き架けられている点が異なっている。そして、この場合においても、エキサイタ３０は、エキサイタ３０の重心Ｎを通る鉛直線上の位置Ｍにおいて、懸吊部材２０により懸吊され、ダンパー３２を節とする曲げ応力の発生に起因する、磁気回路部３４とボイスコイルボビン３６との傾き角度が調整されている。又、懸吊部材２０は、一端がエキサイタ３０の重心Ｎを通る鉛直線上の位置Ｍに固定され、中間部が支柱２２及び補助支柱２２ａに巻き架けられており、他端が固定位置Ｆにおいて固定用部材（図示省略）に固定されている。そして、懸吊部材２０は、中間部と他端の間にコイルバネ２４を有しており、図２のように懸吊部材２０の他端が固定された状態において、コイルバネ２４は、エキサイタ３０の質量と等しい荷重を受ける際に伸長する荷重長さと、略等しい長さに伸長した状態となっている。
【００３６】
又、図３は、本発明の第１の実施の形態に係る平面スピーカ１０の、エキサイタ３０に錘３８を付加したエキサイタ組立体を懸吊した例を示している。図３（ａ）の例では、エキサイタ３０に付加した錘３８の質量が、エキサイタ３０の質量と略等しい場合を示している。この場合において、エキサイタ３０と錘３８とで構成されるエキサイタ組立体は、エキサイタ３０と錘３８との略中間に位置する、エキサイタ組立体の重心Ｎを通る鉛直線上の位置Ｍにおいて、コイルバネ２４を有する懸吊部材２０により懸吊されている。又、図３（ｂ）の例では、エキサイタ３０に付加した錘３８の質量が、エキサイタ３０の質量よりも大きい場合を示している。この場合において、エキサイタ３０と錘３８とで構成されるエキサイタ組立体は、エキサイタ３０と錘３８との中間よりも錘３８側に位置する、エキサイタ組立体の重心Ｎを通る鉛直線上の位置Ｍにおいて、コイルバネ２４を有する懸吊部材２０により懸吊されている。そして、図３（ａ）及び（ｂ）のいずれの場合においても、懸吊部材２０の他端が固定位置Ｆで固定された状態において、コイルバネ２４は、エキサイタ組立体の質量（エキサイタ３０に錘３８を付加した質量）と等しい荷重を受ける際に伸長する荷重長さと、略等しい長さに伸長した状態となっている。
【００３７】
次に、図４を参照しながら、図２に示した平面スピーカ１０のエキサイタ３０を、懸吊部材２０により懸吊する際の、支持調整法の手順について説明する。
まず、図４（ａ）に示すように、振動板１２に固着されたエキサイタ３０の、エキサイタ３０の重心Ｎを通る鉛直線上の位置Ｍに、コイルバネ２４を有する懸吊部材２０の一端を固定する。そして、懸吊部材２０の中間部を、支柱２２及び補助支柱２２ａに巻き架ける。この際、懸吊部材２０の他端には負荷がかかっていないため、コイルバネ２４の長さは自由長となっている。
続いて、図４（ｂ）に示すように、懸吊部材２０の他端に、エキサイタ３０の質量と略等しい質量の錘２６を吊り下げる。これにより、エキサイタ３０と錘２６とは、支柱２２及び補助支柱２２ａを介した平衡懸吊状態となる。この際、コイルバネ２４は、錘２６の荷重を受けて、錘２６の荷重長さに伸長している。
【００３８】
次に、図４（ｃ）に示すように、懸吊部材２０の他端側を固定位置Ｆにおいて固定用部材（図示省略）に固定する。これにより、コイルバネ２４は、エキサイタ３０と錘２６とが平衡懸吊状態である際の、錘２６の荷重長さに伸長した状態で保持されることとなる。
そして、図４（ｄ）に示すように、懸吊部材２０の他端に吊り下げていた錘２６を取り外す。錘２６を取り外しても、懸吊部材２０は、他端側が固定位置Ｆにおいて固定されているため、図４（ｂ）に示したような、エキサイタ３０と錘２６とが平衡懸吊状態である際と略等しい力で、エキサイタ３０を懸吊する。換言すれば、エキサイタ３０は、エキサイタ３０の質量と略等しい質量の錘２６と平衡懸吊状態にあった際に、懸吊部材２０により引張された力と、略等しい力で引張された状態で、懸吊部材２０により懸吊されることとなる。
【００３９】
ここで、図３で示したエキサイタ組立体を懸吊する場合について説明すると、図４（ａ）の状態において、エキサイタ組立体の重心Ｎを通る鉛直線上の位置Ｍに、コイルバネ２４を有する懸吊部材２０の一端を固定し、図４（ｂ）の状態において、懸吊部材２０の他端に、エキサイタ組立体の質量（エキサイタ３０に錘３８を付加した質量）と略等しい質量の錘２６を吊り下げればよい。そして、図４（ｃ）に示すように、懸吊部材２０の他端側を固定位置Ｆにおいて固定し、図４（ｄ）に示すように、懸吊部材２０の他端に吊り下げていた錘２６を取り外すこととすれば、エキサイタ組立体は、エキサイタ組立体の質量と略等しい質量の錘２６と平衡懸吊状態にあった際に、懸吊部材２０により引張された力と、略等しい力で引張された状態で、懸吊部材２０により懸吊される。
【００４０】
なお、図２〜図４の例において、補助支柱２２ａは、エキサイタ３０（或いは、エキサイタ組立体）と、錘２６や固定位置Ｆとを離間させるために用いられている。このため、本発明の第１の実施の形態に係る平面スピーカ１０において、図１０に示した、従来の平面スピーカ１００と同様に、補助支柱２２ａを用いずに、径が大きい支柱２２を用いることで、エキサイタ３０と錘２６等とを離間させる構成としてもよい。
又、図４の例では、支持調整法の手順において、懸吊部材２０の他端に錘２６を実際に吊り下げて、コイルバネ２４の長さや固定位置Ｆの調整を行ったが、図１の例と同様に、コイルバネ２４にエキサイタ３０の質量と略等しい荷重がかかる際の、コイルバネ２４の荷重長さを予め測定しておき、エキサイタ３０の支持調整を行う際には錘２６を使用せず、コイルバネ２４が測定した荷重長さに伸長するように、懸吊部材２０の長さや固定位置Ｆの調整を行うこととしてもよい。
【００４１】
図５は、本発明の第１の実施の形態に係る平面スピーカ１０の構成を、概略的に示している。図示のように、平面スピーカ１０は、外周部を構成する枠体４０により、振動板１２を保持する構成となっており、振動板１２の裏面側には、複数（図５の例では１６個）のエキサイタ３０が固着され、各々が懸吊部材２０により懸吊されている。又、枠体４０の内側には、縦格子枠４２や、複数のエキサイタ３０を懸吊するための支柱２２及び固定用部材２８等で構成される、懸吊格子４６が設置されている。複数のエキサイタ３０は、入力電流が等しく流れるように、図５（ｂ）における左右方向に並べられた４個のエキサイタ３０毎に直列接続され、更に、上下方向の段毎に構成された４段の直列接続を並列接続した、シリパラ接続により、電気的に配線５０によって接続されている。更に、複数のエキサイタ３０の各々は、振動板１２をエキサイタ３０の数量と等しい１６箇所に等分割した各々の範囲の、裏面側の略中心位置に固着され、振動板１２に対して等分配置されている。
【００４２】
なお、図５の例では、略正方形の振動板１２に対し、４×４の１６個のエキサイタ３０が設けられているが、本発明の第１の実施の形態に係る平面スピーカ１０は、これに限定されるものではない。例えば、振動板１２の形状が長方形であってもよく、エキサイタ３０の数量が、１７個以上或いは１５個以下であってもよい。更に、エキサイタ３０の各々に、図３に示したような錘３８が付加されていてもよい。しかしながら、このような場合にも、複数のエキサイタ３０は、電気的にシリパラ接続され、振動板１２に対して等分配置されるものとする。なお、図５（ｂ）の符号５２は、シリパラ接続された複数のエキサイタ３０へ、配線５０を介して電流を供給するための端子を示している。
【００４３】
次に、図６を参照して、本発明の第１の実施の形態に係る平面スピーカ１０における、懸吊部材２０や懸吊格子４６を用いたエキサイタ３０の懸吊方法について、より具体的に説明する。まず、懸吊格子４６の構成について説明すると、図６（ｂ）に示すように、懸吊格子４６は、図中、左右方向に略等間隔で配置され、図中、上下方向の格子を成す複数の縦格子枠４２と、図中、上下方向に略等間隔で配置され、図中、左右方向の格子を成す複数の支柱２２及び固定用部材２８と、外枠（図示省略）とで、大略構成されている。そして、懸吊格子４６の各格子で構成されるマスの位置と、振動板１２に等分配置された各エキサイタ３０の位置とが対応するように、各格子の間隔が設定されている。
【００４４】
縦格子枠４２の各々は、平行に設置された枠板４２ａと枠板４２ｂとで構成されており、枠板４２ａと枠板４２ｂとの間には、上下方向に略等間隔で複数の支柱保持台４４が設けられている。そして、各縦格子枠４２に設けられた、同じ高さに位置する支柱保持台４４により、支柱２２と固定用部材２８とが保持されている。具体的には、図６（ａ）に示すように、支柱保持台４４は、縦格子枠４２から図中、左側及び右側に突出するような長さを有しており、支柱２２は、支柱保持台４４の図中、左上部分に固着されて保持され、固定用部材２８は、支柱保持台４４の図中、右下部分に固着されて保持されている。なお、図５や図６における、支柱２２と固定用部材２８とは、共に円柱形状を有している。
【００４５】
又、エキサイタ３０は、図６（ａ）に示すように、振動板１２の裏面側に固着されると共に、コイルバネ２４を有する懸吊部材２０により、エキサイタ３０の重心を通る鉛直線上の位置において懸吊されている。そして、上述したような構成の懸吊格子４６が用いられて、懸吊部材２０は、支柱２２に巻き架けられた状態で、一端がエキサイタ３０に固定され、コイルバネ２４を介して、他端が固定位置Ｆにおいて固定用部材２８に固定されている。懸吊部材２０は、図２や図４に示した例と同様に、他端にエキサイタ３０を吊り下げている状態と略等しい力で、エキサイタ３０を懸吊するように、コイルバネ２４の長さやコイルバネ２４を含む懸吊部材２０全体の長さが調整されて、固定用部材２８に固定されている。なお、図６の例では、図２や図４に示した例とは異なり、補助支柱２２ａを用いずに、懸吊部材２０の支柱２２に巻き架けた箇所から固定用部材２８に固定されている他端までが、図６（ａ）における斜め右下方向に引張された状態となっているが、懸吊部材２０の他端にエキサイタ３０を吊り下げている状態と略等しい力で、エキサイタ３０を懸吊するように調整されていれば、このような方向に引張されていても何ら問題はない。
【００４６】
続いて、図７を参照して、図５で示した平面スピーカ１０を複数用いて構成する、大型の平面スピーカについて説明する。
図７（ａ）に示すように、大型の平面スピーカは、平面方向に組み合わせた複数の平面スピーカ１０の前面側（図中、左手前側）に、第２の振動板６２を配置して構成されるものである。図７（ａ）の例では、２×２の４個の平面スピーカ１０を平面方向に組み合わせており、第２の振動板６２は、組み合わせた平面スピーカ１０の有効面積の、１００％以上の面積を有している。より具体的には、図７（ｂ）に示すように、大型の平面スピーカ６０は、外周部を構成する枠体６４の内部に、平面方向に組み合わせた複数の平面スピーカ１０が保持されている。そして、第２の振動板６２は、枠体６４内部の平面スピーカ１０の前面側に、平面スピーカ１０とは機械接合せずに、間隙をおいて平行に枠体６４により保持されている。第２の振動板６２と平面スピーカ１０との間隙は、例えば、１ｍｍ〜５０ｍｍ程度に設定される。又、第２の振動板６２は、例えば、可撓性を有するフィルム状或いはシート状のプラスチック樹脂や、繊維を圧縮等によりシート状に形成してなる可撓性を有する繊維構造体等で構成されている。このような材料から構成されることで、第２の振動板６２は、巻き上げ収納が可能となっている。
【００４７】
なお、図７の例では、大型の平面スピーカ６０を構成する平面スピーカ１０として、４個の平面スピーカ１０を組み合わせているが、本発明の実施の形態に係る大型の平面スピーカ６０は、この構成に限定されるものではなく、任意の数量の平面スピーカ１０を用いることができる。例えば、１×２の２個の平面スピーカ１０を組み合わせてもよく、３×３の９個の平面スピーカ１０を組み合わせてもよい。このような場合にも、平面スピーカ１０の前面側には、複数の平面スピーカ１０を組み合わせたものの有効面積、或いは、１個の平面スピーカ１０の面積を、覆い隠すに十分な面積を有する、第２の振動板６２が配置される。
【００４８】
さて、上記構成をなす本発明の第１の実施の形態によれば、次のような作用効果を得ることが可能である。すなわち、本発明の第１の実施の形態に係る平面スピーカ１０は、図１に示すように、エキサイタ３０が、振動板１２の裏面に固着されると共に、懸吊部材２０により懸吊支持されている。詳しくは、懸吊部材２０の一端部がエキサイタ３０の重心Ｎを通る鉛直線上の位置Ｍに固定され、懸吊部材２０の他端部がコイルバネ２４を介して固定用部材に固定されることで、エキサイタ３０が懸吊部材２０により引張されて支持されている。ここで、懸吊部材２０によりエキサイタ３０を懸吊支持する際の、伸長させるコイルバネ２４の長さや、コイルバネ２４を含む懸吊部材２０全体の長さ等は、懸吊支持されるエキサイタ３０において、ボイスコイルボビン３６の中心軸と、磁気回路部３４の中心軸とに、傾き角度差が生じないように設定することが望ましい。このように設定することで、エキサイタ３０のダンパー３２に懸かる曲げ応力を極小化することができ、エキサイタ３０の性能を最大限発揮させることが可能となる。
【００４９】
更に、懸吊部材２０の端部は、コイルバネ２４を介して固定されていることから、エキサイタ３０の取付け位置のズレや懸吊部材２０の伸縮に起因する、エキサイタ３０の懸吊応力の変動を、コイルバネ２４に吸収させることで、懸吊状態を安定して維持することが可能となる。
又、エキサイタ３０の懸吊支持に、調整が難しい複雑な部材や、重量が懸念される平衡錘等を必要としないため、エキサイタ３０の支持調整を容易にすることができると共に、平面スピーカ１０の輸送や搬入等を容易に行うことも可能となる。
【００５０】
又、本発明の第１の実施の形態に係る平面スピーカ１０は、図２及び図６に示すように、懸吊部材２０が、支柱２２に巻き架けられていてもよいものである。この場合には、懸吊部材２０は、その中間部が支柱２２に巻き架けられており、懸吊部材２０の一端部が、エキサイタ３０の重心Ｎを通る鉛直線上の位置Ｍに固定され、懸吊部材２０の他端部が、コイルバネ２４に引張された状態で固定用部材２８（図６参照）に固定される。そして、コイルバネ２４の長さは、自身にエキサイタ３０の質量と略等しい質量の錘等が吊り下げられた場合の、その錘等を引張する際の張力と、略等しい張力でエキサイタ３０を引張するように調整される。これにより、エキサイタ３０と、エキサイタ３０と略同質量の錘等とが、支柱２２を介して平衡懸吊状態である際の、コイルバネ２４を有する懸吊部材２０がエキサイタ３０を懸吊する張力と、略等しい張力でエキサイタ３０が懸吊される。このように懸吊支持されることで、複数のエキサイタ３０の各々は、図１の例と同様に、ボイスコイルボビン３６の中心軸と、磁気回路部３４の中心軸とに、傾き角度差が生じないように懸吊されるため、エキサイタ３０のダンパー３２に懸かる曲げ応力を極小化することができ、エキサイタ３０の性能を最大限発揮させることができる。
【００５１】
又、エキサイタ３０を懸吊する懸吊部材２０は、中間部が支柱２２に巻き架けられていることから、支柱２２と懸吊部材２０間に発生する摺動摩擦により、エキサイタ３０の振動に起因するコイルバネ２４の共振を抑制し、平面スピーカ１０の再生音への悪影響を最小限に留めることが可能となる。
更に、図１の例と同様に、図２及び図６の例においても、懸吊部材２０の端部は、コイルバネ２４を介して固定されていることから、エキサイタ３０の取付け位置のズレや懸吊部材２０の伸縮に起因する、エキサイタ３０の懸吊応力の変動を、コイルバネ２４に吸収させることで、懸吊状態を安定して維持することができる。又、上述したような構成により、エキサイタ３０を懸吊支持するため、調整が難しい複雑な部材を使用することなく、エキサイタ３０の支持調整を容易に行うことができる。
【００５２】
又、本発明の第１の実施の形態に係る平面スピーカ１０は、図３に示すように、エキサイタ３０の各々に錘３８が付加されていてもよいものである。この場合には、懸吊部材２０の一端部が、エキサイタ３０に錘３８を付加したエキサイタ組立体の重心Ｎを通る鉛直線上の位置Ｍに固定され、懸吊部材２０の他端部が、コイルバネ２４に引張された状態で固定用部材２８（図６参照）に固定される。そして、コイルバネ２４の長さは、自身にエキサイタ組立体の質量（エキサイタ３０に錘３８を付加した質量）と略等しい質量の錘等が吊り下げられた場合の、その錘等を引張する際の張力と、略等しい張力でエキサイタ組立体を引張するように調整される。このように懸吊支持されることで、錘３８を付加した複数のエキサイタ３０の各々は、図１の例と同様に、ボイスコイルボビン３６の中心軸と、磁気回路部３４の中心軸とに、傾き角度差が生じないように懸吊されるため、エキサイタ３０のダンパー３２に懸かる曲げ応力を極小化することができ、エキサイタ３０の性能を最大限発揮させることができる。更に、エキサイタ３０の各々に、錘３８が付加されていることにより、エキサイタ３０単体よりも慣性質量が大きいエキサイタ組立体により、振動板１２を駆動させることとなるため、振動板１２の駆動効率が上昇し、平面スピーカ１０の変換能率の上昇と再生帯域幅を拡大することができる。
【００５３】
又、本発明の第１の実施の形態に係る平面スピーカ１０における、図２に示したような、支柱２２を介して懸吊部材２０により引張された状態で振動板１２に支持されている、エキサイタ３０の支持調整法は、まず、図４（ａ）に示すように、中間部を支柱２２及び補助支柱２２ａに巻き架けた状態の懸吊部材２０の一端を、振動板１２に固定されたエキサイタ３０の重心Ｎを通る鉛直線上の位置Ｍに固定する。次に、図４（ｂ）に示すように、懸吊部材２０の他端を、懸吊するエキサイタ３０の質量と略等しい質量の錘２６に、コイルバネ２４を介して固定する。そして、コイルバネ２４を含む懸吊部材２０の張力を、エキサイタ３０と錘２６とが、支柱２２及び補助支柱２２ａを介して平衡懸吊状態となるように調整する。これにより、コイルバネ２４は、エキサイタ３０と略同質量の錘２６の荷重を受けた荷重長さに伸長した状態となる。
【００５４】
その後、コイルバネ２４を含む懸吊部材２０が、エキサイタ３０と錘２６とが平衡懸吊状態にある際の張力を維持した状態となるように、図４（ｃ）に示すように、懸吊部材２０の他端を固定位置Ｆにおいて固定用部材に固定し、最後に、図４（ｄ）に示すように、懸吊部材２０の他端から錘２６を取り外す手順を行うものである。このような手順により、本発明の第１の実施の形態に係る平面スピーカ１０のエキサイタ３０の支持調整法は、コイルバネ２４を含む懸吊部材２０の張力の調整に、エキサイタ３０と略同質量の調整用錘２６を用いることから、懸吊部材２０の固定位置Ｆの位置決めを正確に行うことが可能となる。更に、調整が難しい複雑な部材を使用しないため、エキサイタ３０の支持調整を容易に行うことができる。
【００５５】
又、本発明の第１の実施の形態に係る平面スピーカ１０は、図５（ｂ）に示すように、振動板１２の裏面全体に等分配置されると共に、電気的にシリパラ接続された複数のエキサイタ３０を備えている。すなわち、図５（ｂ）の例のように、エキサイタ３０の数量が１６個の場合には、振動板１２の裏面が４行４列で構成される１６箇所の小範囲に等分され、各小範囲の略中心位置にエキサイタ３０の各々が配置されると共に、図５（ｂ）の左右方向に配置される４個のエキサイタ３０毎に直列接続され、直列接続されたエキサイタ３０の上下方向に並ぶ４列が、並列接続される態様となる。
【００５６】
上述したようなエキサイタ３０の配置及び接続により、平面スピーカ１０は、複数のエキサイタ３０に入力電流が等しく流れ、エキサイタ３０の各々が等しい力で振動板１２を振動させるため、振動板１２が剛体運動に略等しい動作をする。更に、１個のエキサイタ３０が振動させる振動板１２の面積は、振動板１２の裏面をエキサイタ３０の数量分に等分したうちの、１つの小範囲の面積のみである。ここで、振動板１２の全体を１個のエキサイタ３０で振動させる場合と比較すると、本発明の第１の実施の形態に係る平面スピーカ１０は、エキサイタ３０の１個あたりで振動させる振動板１２の面積が狭く、全てのエキサイタ３０が等しく振動することから、振動板１２の全体を１個のエキサイタ３０で振動させる場合よりも、振動板１２の曲げ剛性が高まるような作用効果を奏するものとなる。
【００５７】
更に、平面スピーカ１０の、１個のエキサイタ３０に流れる電流量は、振動板１２を１個のエキサイタ３０で振動させる場合の電流量を、シリパラ接続した複数のエキサイタ３０の、直列接続したエキサイタ３０の数量で除した値となる。図５の例において説明すると、エキサイタ３０が４個毎に直列接続されているため、直列接続された各列に流れる電流量、すなわち、各エキサイタ３０に流れる電流量は、振動板１２を１個のエキサイタ３０で振動させる場合の電流量の１／４となる。これにより、エキサイタ３０の振幅も１／４となるため、振動板１２に対する振動の負担を軽減することができる。更に、図５の例のように、直列接続したエキサイタ３０の数量（４個）と、並列接続したエキサイタ列の列数（４列）とが等しい場合には、複数のエキサイタ３０全体の合成インピーダンスが、１個のエキサイタ３０のインピーダンスと略等しくなるため、振動板１２を１個のエキサイタ３０で振動させる場合と、駆動電流量を略等しくすることができる。又、複数のエキサイタ３０がシリパラ接続されていることで、端子５２から供給された電流は各エキサイタ３０に分散されて流れることとなるため、エキサイタ３０への入力電流過多を防止するための、過大電流保護回路が不要となる。
【００５８】
又、本発明の第１の実施の形態に係る平面スピーカ１０は、図７に示すように、振動板１２を有する平面スピーカ１０を、複数個、平面方向に集合して、大型の平面スピーカ６０を構成するものである。この場合には、上述の如く作用効果を奏しながらも、集合する平面スピーカ１０の数量を調整することで、任意のサイズの大型の平面スピーカ６０を構成することができる。そして、大型の平面スピーカ６０を構成する前には、複数個の平面スピーカ１０として、振動板１２を含む個々の平面スピーカ１０の大きさで扱うことができ、更に、エキサイタ３０の懸吊支持に、重量が懸念される平衡錘等を必要としないため、平面スピーカの大型化を実現しながらも、輸送や搬入等を容易に行うことが可能となる。
【００５９】
更に、本発明の第１の実施の形態に係る平面スピーカ１０は、複数の振動板１２を平面方向に集合して構成した、大型の平面スピーカ６０の振動板の前面に、間隙をおいて第２の振動板６２を設置することとしてもよい。振動板１２と第２の振動板６２との間隙は、例えば、１乃至５０ｍｍに設定することで、大型の平面スピーカ６０の音質を考慮した適切な距離に、第２の振動板６２を設置することができる。第２の振動板６２には、平面方向に集合した複数の振動板１２の有効面積の、１００％以上の面積を有し、かつ、可撓性を有するフィルム状やシート状のものが用いられる。これにより、複数の振動板１２を集合して大型化した平面スピーカ６０の、振動板１２の表面が保護されると共に、視覚的なシームレス化を図ることができる。又、上述したように構成することで、平面方向に集合した複数の平面スピーカ１０の振動板１２を、各々が備える複数のエキサイタ３０により、振動板１２間で略等しい力で振動させると、その振動が空気を介して第２の振動板６２に伝わり、第２の振動板６２の全体が略均一的に振動することとなる。ここで、振動板１２と第２の振動板６２との間隙を１０ｍｍ以下に設定すると、第２の振動板６２の全体を、より均一的に振動させることができるが、間隙を１０乃至５０ｍｍに設定する場合には、振動板１２を支持する枠体４０（図５参照）と、第２の振動板６２との間の外周を埋めるように、スペーサーや緩衝部材等を挿入すればよい。こうすることで、間隙が１０乃至５０ｍｍであっても、振動板１２と第２の振動板６２との間からの空気漏れを、間隙が１０ｍｍ以下の設定時と同等にできると共に、異物の混入を防ぐこともできる。これにより、聴覚的にも、大型化した平面スピーカ６０のシームレス化を図ることができる。更に、第２の振動板６２は、巻き上げ収納が可能なように可撓性を有していることから、平面方向に集合した複数の振動板１２を覆い隠せるだけの面積を有しながらも、輸送や搬入等を容易に行うことができる。
【００６０】
次に、図８を参照しながら、本発明の第２の実施の形態に係る平面スピーカについて説明する。図８において、本発明の第１の実施の形態に係る平面スピーカと同一部分、若しくは相当する部分については、同一の符号を付している。なお、本発明の第２の実施の形態に係る平面スピーカについて、本発明の第１の実施の形態に係る平面スピーカとの、相違部分のみ説明をすることとし、本発明の第１の実施の形態に係る平面スピーカと、同様の部分の構成や作用効果については、説明を省略する。
【００６１】
図８（ａ）には、本発明の第２の実施の形態に係る平面スピーカに用いる、振動板１２Ａを裏面方向から示している。図示のように、振動板１２Ａには、裏面に等分配置されると共に、配線５０によりシリパラ接続された、図中、実線で示す４×４の１６個のエキサイタ３０が固着されている。更に、振動板１２Ａの裏面には、前記１６個のエキサイタ３０が配置されている領域を、前記１６個のエキサイタ３０の各々を頂点とする、３×３の９箇所の四角形の小範囲に等分し、等分した各四角形の小範囲の略中心位置に配置される、図中、破線で示す３×３の９個のエキサイタ３０が固着されている。これら９個のエキサイタ３０は、等分配置された１６個のエキサイタ３０とは別に、配線５０によりシリパラ接続されている。なお、本発明の第２の実施の形態に係る平面スピーカに用いる振動板１２Ａは、図８（ａ）に示した態様に限定されるものではなく、エキサイタ３０の数量が、より多く、或いは、より少なくてもよい。例えば、振動板１２Ａの裏面に、３×３の９個のエキサイタ３０が等分配置され、更に、これら９個のエキサイタ３０を頂点として規定される、２×２の４箇所の四角形の小範囲に、２×２の４個のエキサイタ３０が配置されることとしてもよい。
【００６２】
そして、本発明の第２の実施の形態に係る平面スピーカは、複数のエキサイタ３０が、図８（ｂ）に示すような態様で、懸吊部材２０及び懸吊格子４６により懸吊支持されている。懸吊格子４６は、図８（ａ）に示したエキサイタ３０の配置に対応するように構成されており、図中、上下方向の格子を成す複数の縦格子枠４２と、図中、左右方向の格子を成す複数の支柱２２及び固定用部材２８とが、各エキサイタ３０を懸吊部材２０により懸吊するための適切な間隔で設置されている。この場合においても、懸吊部材２０は、図６に示した本発明の第１の実施の形態に係る平面スピーカと同様に、他端にエキサイタ３０を吊り下げている状態と略等しい力で、エキサイタ３０を懸吊するように、コイルバネ２４の長さやコイルバネ２４を含む懸吊部材２０全体の長さが調整されて、固定用部材２８に固定されている。
【００６３】
又、本発明の第２の実施の形態に係る平面スピーカは、上述したような振動板１２Ａに固着されるエキサイタ３０の配置を除き、本発明の第１の実施の形態に係る平面スピーカと同様の構成のものである。このため、本発明の第２の実施の形態に係る平面スピーカは、図５に示した枠体４０により、振動板１２Ａが保持される構成となる。又、図３に示したように、複数のエキサイタ３０の各々に、錘３８が付加されていてもよく、更に、図７に示したように、本発明の第２の実施の形態に係る平面スピーカを、平面方向に複数配置することで、大型の平面スピーカを構成するものである。
【００６４】
さて、上記構成をなす本発明の第２の実施の形態によれば、次のような作用効果を得ることが可能である。すなわち、本発明の第２の実施の形態に係る平面スピーカは、図８（ａ）に示すように、振動板１２Ａの裏面全体に等分配置され、シリパラ接続された、図中、実線で示す複数のエキサイタ３０に加えて、更に、図中、破線で示す別の複数のエキサイタ３０を備えるものである。別の複数のエキサイタ３０の各々は、振動板１２Ａの裏面の複数のエキサイタ３０が配置されている領域を、複数のエキサイタ３０の各々を頂点とする複数の四角形の小範囲に等分した、各四角形の小範囲の略中心位置に配置されている。図８（ａ）の例において説明すると、別の複数のエキサイタ３０の各々は、４行４列に等分配置された複数のエキサイタ３０の各々を頂点として、３行３列の９箇所に構成される四角形の小範囲の略中心位置に配置される。又、図８（ｂ）に示すように、別の複数のエキサイタ３０の各々は、等分配置された複数のエキサイタ３０と同じ態様で、懸吊部材２０により懸吊支持されている。更に、別の複数のエキサイタ３０は、等分配置された複数のエキサイタ３０とは別の配線５０により、シリパラ接続されている。
【００６５】
上述したような構成であるため、本発明の第２の実施の形態に係る平面スピーカは、等分配置された複数のエキサイタ３０をシリパラ接続している配線５０と、別の複数のエキサイタ３０をシリパラ接続している配線５０とに、全てのエキサイタ３０が等しい力で振動するような電流を流すことで、振動板１２Ａが剛体運動に略等しい動作をする。そして、図５に示した本発明の第１の実施の形態に係る平面スピーカ１０と比較すると、振動板１２Ａの裏面に、より稠密にエキサイタ３０が配置されることとなるため、エキサイタ３０の１個あたりで振動させる振動板の面積がより狭くなり、全てのエキサイタ３０が等しく振動することから、本発明の第１の実施の形態に係る平面スピーカ１０よりも、更に振動板１２Ａの曲げ剛性が高まるような作用効果を奏するものとなる。
【００６６】
続いて、図９を参照しながら、本発明の第３の実施の形態に係る平面スピーカについて説明する。図９において、本発明の第１の実施の形態に係る平面スピーカと同一部分、若しくは相当する部分については、同一の符号を付している。なお、本発明の第３の実施の形態に係る平面スピーカについて、本発明の第１の実施の形態に係る平面スピーカとの、相違部分のみ説明をすることとし、本発明の第１の実施の形態に係る平面スピーカと、同様の部分の構成や作用効果については、説明を省略する。
【００６７】
図９（ａ）には、本発明の第３の実施の形態に係る平面スピーカに用いる、振動板１２Ｂを裏面方向から示している。図示のように、振動板１２Ｂには、裏面に等間隔で千鳥格子状に配置された、５×４の２０個のエキサイタ３０が固着されている。これらエキサイタ３０は、配線５０により、図中、横方向にジグザグに配置された５個のエキサイタ３０毎に直列接続され、更に、直列接続されたエキサイタ３０の４列が並列接続された、シリパラ接続となっている。なお、本発明の第３の実施の形態に係る平面スピーカに用いる振動板１２Ｂは、図９（ａ）に示した態様に限定されるものではなく、エキサイタ３０の数量が、より多く、或いは、より少なくてもよい。例えば、振動板１２Ｂの裏面に、７×６の４２個のエキサイタ３０が配置されることとしてもよい。このような場合にも、複数のエキサイタ３０は、振動板１２Ｂの裏面に等間隔で千鳥格子状に配置されると共に、配線５０によりシリパラ接続される。
【００６８】
そして、本発明の第３の実施の形態に係る平面スピーカは、複数のエキサイタ３０が、図９（ｂ）に示すような態様で、懸吊部材２０及び懸吊格子４６により懸吊支持されている。懸吊格子４６は、図９（ａ）に示したエキサイタ３０の配置に対応するように構成されており、図中、上下方向の格子を成す複数の縦格子枠４２と、図中、左右方向の格子を成す複数の支柱２２及び固定用部材２８とが、各エキサイタ３０を懸吊部材２０により懸吊するための適切な間隔で設置されている。この場合においても、懸吊部材２０は、図６に示した本発明の第１の実施の形態に係る平面スピーカと同様に、他端にエキサイタ３０を吊り下げている状態と略等しい力で、エキサイタ３０を懸吊するように、コイルバネ２４の長さやコイルバネ２４を含む懸吊部材２０全体の長さが調整されて、固定用部材２８に固定されている。
【００６９】
又、本発明の第３の実施の形態に係る平面スピーカは、上述したような振動板１２Ｂに固着されるエキサイタ３０の配置を除き、本発明の第１の実施の形態に係る平面スピーカと同様の構成のものである。このため、本発明の第３の実施の形態に係る平面スピーカは、図５に示した枠体４０により、振動板１２Ｂが保持される構成となる。又、図３に示したように、複数のエキサイタ３０の各々に、錘３８が付加されていてもよく、更に、図７に示したように、本発明の第３の実施の形態に係る平面スピーカを、平面方向に複数配置することで、大型の平面スピーカを構成するものである。
【００７０】
上述の如く、本発明の第３の実施の形態に係る平面スピーカは、図９（ａ）に示すように、振動板１２Ｂの裏面全体に等間隔で千鳥格子状に配置されると共に、電気的にシリパラ接続された複数のエキサイタ３０を備えている。「等間隔で千鳥格子状に配置」とは、近接配置された３個のエキサイタ３０を頂点として構成される三角形が、全て同じ大きさの正三角形となるように、複数のエキサイタ３０を配置する形態を示しており、このように配置することで、複数のエキサイタ３０の各々は、６方向で隣接するエキサイタ３０との間隔が、隣接する方向に関わらず全て等しくなる。すなわち、図９（ａ）の例において説明すると、縦方向に等間隔に配置された４個のエキサイタ３０で構成されたエキサイタ３０の列が、縦方向の上下に交互に変位されながら横方向に５列配置されることで、等間隔で千鳥格子状に配置される。そして、横方向にジグザグに配置された５個のエキサイタ３０毎に直列接続され、直列接続されたエキサイタ３０の４列が並列接続される態様となる。又、複数のエキサイタ３０の各々は、図９（ｂ）に示すような態様で、懸吊部材２０により懸吊支持されている。
【００７１】
上述したようなエキサイタ３０の配置及び接続により、本発明の第３の実施の形態に係る平面スピーカは、複数のエキサイタ３０に入力電流が等しく流れ、エキサイタ３０の各々が等しい力で振動板を振動させるため、振動板１２Ｂが剛体運動に略等しい動作をする。更に、１個のエキサイタ３０が振動させる振動板の面積は、各エキサイタ３０の周辺領域の面積のみである。ここで、振動板１２Ｂの全体を１個のエキサイタ３０で振動させる場合と比較すると、本発明の第３の実施の形態に係る平面スピーカは、エキサイタ３０の１個あたりで振動させる振動板の面積が狭く、全てのエキサイタ３０が等しく振動することから、振動板１２Ｂの全体を１個のエキサイタ３０で振動させる場合よりも、振動板１２Ｂの曲げ剛性が高まるような作用効果を奏するものとなる。
【符号の説明】
【００７２】
１０：平面スピーカ、１２、１２Ａ、１２Ｂ：振動板、２０：懸吊部材、２２：支柱、２４：コイルバネ、２６：錘、２８：固定用部材、３０：エキサイタ、Ｎ：エキサイタの重心、Ｍ：エキサイタの重心を通る鉛直線状の位置
【図１】
2014086896.tif 000003
【図２】
2014086896.tif 000004
【図３】
2014086896.tif 000005
【図４】
2014086896.tif 000006
【図５】
2014086896.tif 000007
【図６】
2014086896.tif 000008
【図７】
2014086896.tif 000009
【図８】
2014086896.tif 000010
【図９】
2014086896.tif 000011
【図１０】
2014086896.tif 000012